(57)【要約】【課題】形成するべき画像の印刷属性に応じてエネルギー的に最適な定着を可能とする、画像形成装置および画像形成方法を提供すること。【解決手段】画像形成装置は、印刷データを受信してページデータを生成すると共に、印刷物を印刷するための印刷属性情報を取得する作像制御部１１０と、作像制御部１１０からページデータおよび印刷属性情報を取得して、印刷属性情報で指定される定着温度で印刷物を出力する印刷エンジン１７０とを含み、印刷エンジン１７０は、省エネモードから復帰する場合、印刷属性情報が前記省エネモードに退避する前に設定されていた前回定着温度よりも低い定着温度を指定している場合、定着器を、印刷データに設定された印刷属性情報により指定される定着温度に制御する定着制御部２１０を含んでいる。【選択図】図２
2012008385.tif 000002
【特許請求の範囲】
【請求項１】
情報処理装置から受信した印刷データを印刷物として出力する画像形成装置であって、
前記印刷データを受信してページデータを生成すると共に、前記印刷物を印刷するための印刷属性情報を取得する作像制御手段と、
前記作像制御手段から前記ページデータおよび前記印刷属性情報を取得して、前記印刷属性情報で指定される定着温度で前記印刷物を出力する印刷エンジン手段とを含み、
前記印刷エンジン手段は、省エネモードから復帰する場合、前記印刷属性情報が前記省エネモードに退避する前に設定されていた前回定着温度よりも低い定着温度を指定している場合、定着器を、前記印刷データに設定された前記印刷属性情報により指定される前記定着温度に制御する定着制御手段を含む、画像形成装置。
【請求項２】
前記定着制御手段は、前記前回定着温度が前記印刷データに設定された前記印刷属性情報により指定される前記定着温度と一致する場合、前記前回定着温度で前記印刷物を出力する請求項１に記載の画像形成装置。
【請求項３】
前記定着制御手段は、前記定着器を起動する指令を受領した後、前記定着器が定着可能な温度にまで昇温したことを通知するまでの間に前記前回定着温度と前記印刷属性情報で指定される前記定着温度とを比較し、前記定着器の昇温目標温度を決定する、請求項１または２に記載の画像形成装置。
【請求項４】
前記印刷属性情報は、少なくとも印刷のために用いる色数または印刷用紙の種類またはこれらの組み合わせである、請求項１〜３のいずれか１項に記載の画像形成装置。
【請求項５】
前記画像形成装置は、前記前回定着温度と異なる定着温度で前記印刷物を出力した場合、当該出力の後再度省エネモードに退避する前までに前記定着温度を新たな前回定着温度として更新する、請求項１〜４のいずれか１項に記載の画像形成装置。
【請求項６】
前記作像制御手段は、印刷に用いる色数を判断する画像解析手段を備え、
前記印刷エンジン手段は、前記印刷属性情報の少なくとも前記色数を判断して定着器の温度設定を切り換え制御する定着温度設定手段を備える、請求項１〜５のいずれか１項に記載の画像形成装置。
【請求項７】
情報処理装置から受信した印刷データを印刷物として出力する画像形成方法であって、画像形成装置が、
前記印刷データを受信してページデータを生成すると共に、前記印刷物を印刷する場合の印刷属性情報を取得するステップと、
省エネモードから復帰する場合、前記印刷属性情報が前記省エネモードに退避する前に設定されていた前回定着温度と、前記印刷属性情報が指定する定着温度とを比較し、前記印刷属性情報が前記前回定着温度よりも低い定着温度を指定していると判断された場合、昇温目標温度を前記印刷データに設定された前記印刷属性情報により指定される定着温度とし、前記印刷属性情報が前記前回定着温度と同じ定着温度を指定していると判断された場合、昇温目標温度を前記前回定着温度として定着器を温度制御するステップと、
前記温度制御下の前記定着器により、前記印刷物を定着するステップと
を含む画像形成方法。
【請求項８】
前記温度制御するステップは、前記定着器を起動する指令を受領した後、前記定着器が定着可能な温度にまで昇温したことを通知するまでの間に実行される、請求項７に記載の画像形成方法。
【発明の詳細な説明】
【技術分野】
【０００１】
本発明は、画像形成装置に関し、より詳細には、形成するべき画像の印刷属性に応じてエネルギー的に最適な定着を可能とする、画像形成装置および画像形成方法に関する。
【背景技術】
【０００２】
電子写真方式の画像形成装置は、複写機、レーザプリンタ、多機能複写機（以下、ＭＦＰとして参照する。）、商用印刷装置など幌医分野で使用されている。電子写真法で使用される現像剤は、トナーとして参照される微細な着色粒子であり、加熱・加圧により、上質紙などに熱融着されることで、耐久性のある印刷物が提供される。
【０００３】
この際に、電子写真法式では、定着部材を定着ヒータにより加熱して、熱融着に必要な温度を得ているが、定着のために用いられる定着ヒータは大量の電力を必要とするため、省エネルギー・低炭素化社会を達成する上では、消費電力をできるだけ削減することが好ましい。トナーの熱融着に際して必要とされる電力量は、定着温度に関連し、この定着温度は、紙種やトナーの熱的特性などの要因で決定され、定着温度を下げることは、直接的に消費電力の抑制を可能とする。
【０００４】
これまで電子写真法における定着技術は種々提案されてきており、例えば特開２００６−２６０１８５号公報（特許文献１）印刷内容から画像解析部の描画処理にかかる時間を予測し、エンジン起動要求コマンド発行タイミングを調整する定着方法が記載されている。
【０００５】
特許文献１に記載されている方法は、印刷エンジンに起動要求しているにもかかわらず、画像処理に時間がかかり、印刷を開始させるまでの時間的遅延が大きくなっても印刷エンジンが再び省エネ状態に戻ることを防止することで、低電力化を達成するものである。また、特開２００３−１５４６１号公報（特許文献２）では、印刷に使用するトナーによって、定着温度を可変に設定することにより、省エネルギー化を達成する方法が記載されている。
【発明の概要】
【発明が解決しようとする課題】
【０００６】
上記の従来技術が知られていたものの、特開２００６−２６０１８５号公報は、印刷エンジンの起動タイミングにのみ着目しており、定着させるトナーの特性印刷内容に応じた制御をしていないため、画像形成するべき画像や紙種に依存した省エネルギー設定を行うことはできなかった。また、特許文献２では、省エネから印刷可能状態までの復帰時、一度定着温度をフルカラー印刷で必要とされる温度まで上げてしまうので、モノクロ印刷でも定着が高い温度のまま印刷をしなければならず、不必要に高い定着温度で印刷を行ってしまうといった問題点もあった。
【０００７】
本発明は、上述した従来技術の問題点に鑑みてなされたものであり、本発明は、省エネから復帰時の印刷において、印刷物の特性に応じて最適な定着温度制御を行うことを可能とする画像形成装置および画像形成方法を提供することを課題とする。
【課題を解決するための手段】
【０００８】
本発明は、上記課題を解決するため、印刷データの先頭ページの印刷情報を解析し、印刷に使用する色情報を印刷データから抽出して定着温度が上がりきる前に、前もって色情報のみを印刷エンジンに通知することにより、使用するトナーを特定し、そのトナーが持つ特性に応じて定着温度を低下させることで省エネルギー印刷を可能とするものである。
【０００９】
本発明の画像形成装置は、情報処理装置から受信した印刷データを印刷物として出力しており、印刷データを受信してページデータを生成すると共に、印刷物を印刷するための印刷属性情報を取得する作像制御手段と、作像制御手段から前記ページデータおよび印刷属性情報を取得して、印刷属性情報で指定される定着温度で前記印刷物を出力する印刷エンジン手段とを含んでいる。
【００１０】
印刷エンジン手段は、省エネモードから復帰する場合、印刷属性情報が省エネモードに退避する前に設定されていた前回定着温度よりも低い定着温度を指定している場合、定着器を、印刷データに設定された印刷属性情報により指定される定着温度に制御する定着制御手段を含んでいる。
【００１１】
定着制御手段は、前回定着温度が前記印刷データに設定された印刷属性情報により指定される前記定着温度と一致する場合、前回定着温度で印刷物を出力し、また、定着器を起動する指令を受領した後、定着器が定着可能な温度にまで昇温したことを通知するまでの間に前回定着温度と印刷属性情報で指定される前記定着温度とを比較して、定着器の昇温目標温度を決定する。
【００１２】
本発明の印刷属性情報は、少なくとも印刷のために用いる色数または印刷用紙の種類またはこれらの組み合わせとすることができ、画像形成装置は、前回定着温度と異なる定着温度で印刷物を出力した場合、当該出力の後再度省エネモードに退避する前までに定着温度を新たな前回定着温度として更新している。また、本発明は、画像形成装置に対して上述した処理を実行させる画像形成方法も提供する。
【図面の簡単な説明】
【００１３】
【図１】本実施形態の画像形成装置１００のハードウェア機能ブロック図。
【図２】本実施形態の画像形成装置１００のソフトウェアブロック図。
【図３】本実施形態の画像形成装置１００の画像形成処理のシーケンス図。
【図４】本実施形態の画像解析部２０２が本実施形態に関連して実行する処理のフローチャート。
【図５】本実施形態の定着制御部２１０の実行する処理のフローチャート。
【図６】本実施形態の定着制御部２１０の実行する処理のフローチャート。
【図７】本実施形態で画像解析部２０２および定着制御部２１０が使用し、NVRAM１１８またはNVMRAM２１６に格納されるルックアップテーブル（ＬＵＴ）の実施形態を示す図。
【図８】本実施形態による定着温度の印刷シーケンス毎の温度プロファイルを示す図。
【図９】本実施形態のプリンタドライバ２２０がPC１６０のデスクトップ画面上に表示するGUI９００の実施形態を示す図。
【発明を実施するための形態】
【００１４】
以下、本発明を実施形態をもって説明するが、本発明は後述する実施形態に限定されるものではない。図１は、本実施形態の画像形成装置１００のハードウェア機能ブロック図である。画像形成装置１００は、図１中、破線で示した領域内の作像制御部１１０と、印刷エンジン１７０と、操作パネル１８０と、ハードディスク装置１９０とを含んで構成されている。作像制御部１１０は、ネットワークを介して接続されたパーソナルコンピュータ、ワークステーション（以下、単にPCとして参照する。）といったPC１６０から、PC１６０においてユーザが作成した電子データを受領して各種の画像処理を実行し、印刷エンジン１７０に対して印刷データを送付して作像を指令する。印刷エンジン１７０は、作像制御部１１０から印刷データを受領して電子データに対応する印刷物を出力する。
【００１５】
より詳細には、画像形成装置１００は、CPU１１２と、ROM１１４と、RAM１１６と、NVRAM１１８とを含んで構成されている。CPU１１２は、画像形成装置１００の作像を可能とするように構成されたASIC(Application Specific Integrated Circuit)として構成することができ、ROM１１４に格納された制御プログラムや実行データなどを読み込んで、印刷エンジン１７０が印刷するための各種の処理を行っている。
【００１６】
RAM１１６は、CPU１１２の処理を可能とするためのランタイム実行空間を提供し、CPU１１２は、プログラムの実行により生成したランタイムデータや変数などをRAM１１６に適時的に書き込み、またランタイムデータや変数をRAM１１６からフェッチして画像形成装置１００の処理を可能としている。また、NVRAM１１８は、画像形成装置１００の作像処理に必要なランタイムデータや変数のうち、本実施形態にしたがい持続的に制御するための値を格納する不揮発性メモリである。
【００１７】
画像形成装置１００は、さらにネットワークI／F１３０と、エンジンI／F１４０と、パネルI／F１５０と、記憶装置I／F１２０とを含んで構成されている。ネットワークI／F１３０は、ＬＡＮ(Local Area Network)などに接続するための物理層およびネットワーク層の機能を提供し、イーサネット（登録商標）やFTHなどのプロトコルにしたがって転送される電子データを、例えばTCP／IPやUDP／IPなどのトランザクションプロトコルの下、PC１６０との間で送受信可能としている。
【００１８】
エンジンI／F１４０は、作像制御部１１０が電子データから生成した印刷データを印刷エンジン１７０に対して送付する処理を行い、例えばPCI、CompactPCI、PCIExpress、USB(Universal Serial Bus)、IEEE1396などのバスインタフェースまたはその他の適切なインタフェースとして実装することができる。パネルI／F１５０は、作像制御部１１０に対して各種の設定を行うために使用される操作パネル１８０からの制御信号を受領して、作像制御部１１０が解釈可能なコードにデコードし、CPU１１２に対して操作パネル１８０を介したユーザ入力およびCPU１１２の処理結果の出力を可能とする。
【００１９】
なお、本実施形態の他の実装形式では、操作パネル１８０は、CRT、LCD、PDなどのディスプレイおよびキーボード・マウスなどの入出力装置として構成することもできる。上述した各機能部は、内部バス（システムバスおよびI／Oバス）１９２を介して相互接続されていて、作像制御部１１０の処理を可能としている。記憶装置I/F１２０は、外付け記憶装置、具体的には大容量のハードディスク装置１９０や、ＵＳＢメモリなどとの間でデータ転送を行うものであり、ULTRAATA、SERIALATA、USB2．0など適切なプロトコルを使用したインタフェースとすることができる。
【００２０】
PC１６０は、画像形成装置１００に対して電子データを送付し、印刷エンジン１７０から電子データに対応する印刷物を出力させる。PC１６０は、CPU、RAM、ROM、ハードディスク装置などを実装し、適切なオペレーティングシステム（ＯＳ）の下で、ワードプロセッサ、グラフィックス、ドロー、CADなどのアプリケーションを動作させ、ドキュメントを作成する。PC１６０は、画像形成装置１００に対して印刷を依頼する場合、デスクトップ画面上にプリンタドライバが提供するプリントウィザードを表示する。ユーザは、当該プリントウィザードから、各種の設定を行い、設定が終了した後、「OK」ボタンアイコン上で、所定のマウスイベントを行うことで、プリンタドライバが電子データを印刷するための処理を開始する。電子データは、ラスタライズやスプリングなどの処理を経て電子データに対応する印刷データとされ、画像形成装置１００に宛てて送付する。
【００２１】
プリンタドライバは、本発明の要旨ではないので、詳細な説明は省略するが、概略的には、電子データに対するPDL(Page Description Language)の付加、位イメージデータのラスタライズ、スプール処理および画像形成装置１００のネットワーク上のアドレスに宛てて作成した印刷データの送付などを実行する。本実施形態では、定着温度制御を行うための制御信号は、プリンタドライバの提供するグラフィカルユーザインタフェース（GUI）を介してユーザが設定することで、印刷データに追加することができる。なお、上述した制御信号を、以下、作像色情報として参照する。
【００２２】
画像形成装置１００は、当該印刷データを受領すると、PDLを解釈し、画像形成装置１００が印刷することができる形式のページデータを作成し、印刷の実行を開始する。本実施形態では、画像形成装置１００が印刷データを受領すると、印刷データから作像色情報を抽出し、画像形成装置１００がページデータを作成している期間中に作像色情報を印刷エンジン１７０に送付し、作像色情報にしたがって定着温度制御を開始する。
【００２３】
図２は、本実施形態の画像形成装置１００のソフトウェアブロック図を示す。図２に示す各機能ブロックは、CPUが、プログラムを実行することによって、画像形成装置１００の機能手段としてハードウェア資源を機能させることにより、画像形成装置１００上に実現されている。画像形成装置１００の作像制御部１１０は、プリンタ制御部２０４と、画像解析部２０２とを含んでいる。その他、作像制御部１１０は、ネットワークI／F１３０、パネルI／F１５０、エンジンI／F１４０を含んでいるが、これらのI／F１３０〜１５０は、上述したインタフェース処理を周知のプロトコルにしたがって実行するので、詳細な説明は省略する。
【００２４】
なお、図２には、PC１６０が含むプリンタドライバ２２０を示しており、プリンタドライバ２２０は、ユーザの指令に応答して電子データに対し、ラスタライズ等の処理を施して印刷データを作成し、作像制御部１１０に送付している。
【００２５】
プリンタ制御部２０４は、作像制御部１１０全体の処理を管理し、データ取得、データ送付、各種通知、および画像解析部２０２の制御などを実行する。画像解析部２０２は、PC１６０から送付された印刷データを解析する機能を備え、PDLを解釈してプリンタ制御部２０４に対してページデータを生成させ、生成されたページデータを、印刷エンジン１７０へと送付する。さらに本実施形態の画像解析部２０２は、印刷データの例えばヘッダ情報などデータ制御情報を記述する領域や、PDLを記述する領域に記述された作像色情報をページ処理開始前に取得し、印刷エンジン１７０に送付して定着器の温度制御を開始させている。なお、画像解析部２０２は、所定のデータ領域に作像色情報が検出できなかった場合には、作像色情報を、例えばブランクのまま送付することもできるし、明示的に作像色情報がないことを通知する情報を印刷エンジン１７０に対して送付することができる。
【００２６】
また、図２に示すように、画像形成装置１００の印刷エンジン１７０は、制御部I／F２０６と、エンジン制御部２０８と、定着制御部２１０とを含んでいる。制御部I／F２０６は、エンジンI／F１４０から送付されるページデータを受領してエンジン制御部２０８に渡す機能を有しており、エンジンI／F１４０に対応する適切なバスインタフェースを含む構成とすることができる。エンジン制御部２０８は、印刷エンジン１７０の潜像形成、転写、搬送、定着など各機能部の動作を制御する機能を有しており、印刷エンジン１７０専用のASICなどを含む構成とすることができ、本実施形態の定着制御を可能としている。
【００２７】
また、エンジン制御部２０８は、作像制御部１１０から、作像色情報を受領すると、定着制御部２１０に作像色情報を通知する。定着制御部２１０は、作像制御部１１０から作像色情報を受領すると、NVRAM１１８などに格納されたルックアップテーブルを参照して、作像色情報に対応する定着温度を取得し、取得した定着温度を省エネモードを挟んで直前の定着温度の値である前回定着温度と比較して、今回の定着温度の変更判断を行う。変更判断の後に決定された定着温度は、定着制御部２１０における昇温目標温度として設定され、定着器の温度管理のために利用される。
【００２８】
定着制御部２１０は、より詳細には、定着温度監視部２１２と、定着温度設定部２１４とを含んでおり、定着温度監視部２１２は、温度センサ２３２が検出した定着ローラ２３０の温度値を取得して、定着温度設定部２１４に通知し、定着温度設定部２１４による定着のための定着温度の値と、現在の定着ローラ温度とを比較判断に応答して、定着ローラ２３０への通電制御を行う。定着温度設定部２１４は、エンジン制御部２０８から取得した作像色情報を使用して現在の定着処理で利用するべき定着温度の値を取得し、定着温度監視部２１２による温度制御を可能とさせている。このため、定着制御部２１０は、NVRAM２１６を含んで構成することができ、NVRAM２１６に温度制御のために利用される各種データを格納し、その処理のために提供する。なお、NVRAM２１６は、共用できる場合には、作像制御部１１０のNVRAM１１８と共用することができる。
【００２９】
図３は、本実施形態の画像形成装置１００の画像形成処理のシーケンス図である。画像形成装置１００の画像形成処理は、ステップＳ３０１で、プリンタドライバ２２０が送付した印列データを、作像制御部１１０の画像解析部２０２が取得する。画像解析部２０２は、ステップＳ３０２でプリンタ制御部２０４に対して印刷データおよび作像色情報を送付し、ページデータの作成を要求する。プリンタ制御部２０４は、ページデータ作成要求を受領すると、ページデータの作成に先立って、ステップＳ３０３で定着器をＯＮとする信号であるWakeUp信号をアサートし、エンジン制御部２０８に通知する。エンジン制御部２０８は、WakeUp信号のアサートが通知されると、ステップＳ３０８で定着制御部２１０に対し、定着ＯＮを通知し、本実施形態にしたがい定着ヒータの温度制御シーケンスを開始させる。
【００３０】
それに続き、プリンタ制御部２０４は、ステップＳ３０４で、印刷準備要求をエンジン制御部２０８に通知する。印刷準備要求には、どの印刷アプリケーションを使用するのかを識別するための固有の識別値であるアプリＩＤおよび作像色情報が含まれている。エンジン制御部２０８は、受領したアプリＩＤを参照して、印刷実行プログラムのモジュールを呼び出し、ステップＳ３０９で、定着制御部２１０に対して作像色情報を通知する。このとき、エンジン制御部２０８が有意義な作像色情報を受領していない場合、作像色情報をブランクのまま、または明示的に作像色情報がないことを示す値を定着制御部２１０に通知することができる。
【００３１】
定着制御部２１０は、作像色情報および直前の省エネモードへの退避前の定着温度を参照して、現在の定着温度を決定し、決定された定着温度を、現在の温度制御シーケンスの昇温目標温度として設定する。その後、温度制御シーケンスの進行に伴って定着ローラ２３０の温度が昇温目標温度に達すると、定着制御部２１０は、ステップＳ３１０で定着昇温完了通知を、エンジン制御部２０８に通知する。エンジン制御部２０８は、当該通知を受領すると、ステップＳ３０５で、定着器が準備完了であることを示すReady信号をプリンタ制御部２０４に通知し、同時にページデータの送付要求をエンジン制御部２０８に送付する。
【００３２】
プリンタ制御部２０４は、当該Ready信号を受け取ると、ページデータの作成を開始すると共に、ステップＳ３０６でエンジン制御部２０８に対して印刷設定、例えば給紙トレイの指定、紙種、印刷用紙サイズなどを通知する。なお、印刷トレイの指定、紙種、印刷用紙サイズなどは、ステップＳ３０１で受領する印刷データの印刷属性を記述するデータ領域に含まれている。本実施形態では、印刷属性とは印刷する際のカラーモード（フルカラーまたはモノクロ）および紙種、紙厚など、定着温度に影響を与えるいかなる属性を含む。その後、プリンタ制御部２０４は、ステップＳ３０７で印刷開始をエンジン制御部２０８に通知した後、作成したページデータを順次エンジン制御部２０８に送付して、ページ印刷を実行させ、定着器による現像剤の定着後、電子データに対応する印刷物として出力させている。
【００３３】
図４は、本実施形態の画像解析部２０２が本実施形態に関連して実行する処理のフローチャートである。画像解析部２０２の処理は、ステップＳ４００から開始し、ステップＳ４０１で印刷データを解析する。当該解析は、本実施形態のコンテキストにおいては、PDLバージョンや、固有のページ記述言語の存在の有無などの判断および作像色情報の判断などを意味する。ステップＳ４０１の解析において、PDLを解析し、ステップＳ４０２で、ユーザが指定した作像色情報を取得し、ステップＳＳ４０３で、使用されているPDLなどが、プリンタドライバに固有の作像色指定コマンドを有するバージョンか否かをルックアップテーブルまたはドライバ資源リストなどを利用して判断する。なお、ドライバ資源リストは、例えばROM１１４などに管理データようのファームウェアなどとして予め出荷時に登録しておくことができる。
【００３４】
ステップＳ４０３で固有のコマンドが登録されていないと判断された場合（ｎｏ）処理を、制御をステップＳ４０６に渡す。一方、ステップＳ４０３の判断で固有コマンドがあると判断された場合（ｙｅｓ）、当該固有コマンドを使用してエンジン制御部２０８を制御する必要があるので、ステップＳ４０４で作像色情報に対応するコマンドをルックアップテーブルなどから検索し、ステップＳ４０５で固有コマンドを作像色情報として設定する。その後、ステップＳ４０６でページ生成要求を、プリンタ制御部２０４に送付し、以後の処理を開始させ、ステップＳ４０７で、画像解析部２０２は処理を終了する。
【００３５】
図５および図６は、本実施形態の定着制御部２１０の実行する処理のフローチャートである。まず、図５の処理から説明する。定着制御部２１０の処理は、ステップＳ５００で定着ＯＮ信号を受領を待機する処理から開始し、ステップＳ５０１で、定着ＯＮを受領し、昇温目標温度の設定処理を開始する。ステップＳ５０２では、ＮＶRAMから前回の作像処理で使用した定着温度である前回定着温度の値を読み出し、ステップＳ５０３でレジスタメモリなどに確保してある値Ｔｐに設定する。このＴｐの値を暫定的に昇温目標温度Ｔｔとして設定する（Ｔｔ＝Ｔｐ）。昇温目標温度とは、定着制御部２１０が所定の定着温度を与えるために利用する制御値であり、定着制御部２１０は、昇温目標温度Ｔｔ付近に定着ローラの温度が設定されるように、ヒータなどの通電制御を行う。
【００３６】
ステップＳ５０４では、作像色情報を受信したか否かを判断し、作像色情報を受領していない場合（ｎｏ）、処理をステップＳ５０４に渡し、作像色情報の受信を待機する。一方、ステップＳ５０４で、作像色情報を受信している場合（ｙｅｓ）、ステップＳ５０５で作像色情報または固有コマンドに対応する定着温度をルックアップテーブルから検索し、Ｔｔ２として設定する。なお、作像色情報を受信しているとは、エンジン制御部２０８から図３のステップＳ３０９で明示的に有意義な作像色情報が通知されていることを意味する。ステップＳ５０６では、新たな作像色情報または固有コマンドが指定する定着温度が前回の定着温度を指定する値Ｔｐと一致するか異なるかを判断し、前回と異ならない、すなわち同一の場合（ｎｏ）、Ｔｔ＝Ｔｐの設定のまま制御をステップＳ５０８に渡す。一方、ステップＳ５０６で、前回と異なると判断された場合（ｙｅｓ）、ステップＳ５０７でＴｔ＝Ｔｔ２に設定し、前回定着処理とは異なる定着温度を利用する。また、ステップＳ５０７では、Ｔｐフラグを登録するテーブルのＴｐフラグを対応するように更新する。ステップＳ５０８では、この段階までに決定されたＴｔを、現在の昇温目標温度として設定した後、現在の定着ローラの温度情報を取得する。
【００３７】
この段階で、以下の２温度設定のいずれかで現在の定着処理が実行される。
（１）前回定着処理の定着温度での定着処理；
（２）前回定着処理の定着温度とは異なるより低い温度での定着処理：
なお、前回定着処理とは、現在の印刷ジョブが開始される直前の省エネモードに退避する前に実行されていた定着処理を意味する。その後、図５の処理は、ポイントＡから図６の処理に制御を渡す。
【００３８】
図６の処理は、図５の処理からポイントＡで制御が渡されて開始し、ステップＳ６００で、現在の定着ローラの定着温度が昇温目標温度より低いか否かを判断し、低い場合（ｙｅｓ）、ステップＳ６０１で定着ヒータを起動し、温度制御を開始する。一方、現在の定着ローラの定着温度が昇温目標温度よりも低くない場合には（ｎｏ）、処理をステップＳ６０５に渡し、以後の処理を実行させる。また、ステップＳ６０２では、定期的に現在の定着温度情報を取得し、ステップＳ６０３で現在の定着温度が昇温目標温度を超えているか否かを判断する。
【００３９】
ステップＳ６０３の判断で、現在の定着温度が昇温目標温度以上であると判断された場合（ｙｅｓ）、ステップＳ６０４で定着昇温を停止して、定着温度付近の温度を維持させる。一方、ステップＳ６０３で、現在の定着温度が昇温目標温度未満であると判断された場合（ｎｏ）、制御をステップＳ６０２に戻し、ステップＳ６０３の判断が肯定的な結果を返すまで昇温を継続する。
【００４０】
ステップＳ６０５では、定着温度昇温完了を示すReady信号をエンジン制御部２０８に通知し、さらにページデータの送付を依頼する。ステップＳ６０６では、前回のページデータ処理からの時間経過をモニタし、当該時間経過が省エネ遷移時間を経過したか否かを判断し、省エネ遷移時間が経過した場合（ｙｅｓ）、ステップＳ６０７で省エネモードに遷移し、次回のWakeUp信号のアサートを待機し、定着制御部２１０の処理を終了する。また、ステップＳ６０６で、省エネ遷移時間が経過していない場合（ｎｏ）、処理をステップＳ６０２に戻し、エンジン制御部２０８からのページデータの送付を繰り返し処理する。
【００４１】
図７は、本実施形態で画像解析部２０２および定着制御部２１０が使用し、NVRAM１１８またはNVMRAM２１６に格納されるルックアップテーブル（ＬＵＴ）の実施形態を示す。ＬＵＴ７００およびＬＵＴ７１０は、好ましい実施形態ではNVRAM２１６に登録され、定着制御部２１０が直接管理することができる。ＬＵＴ７００およびＬＵＴ７１０は、本実施形態で定着制御部２１０が参照する、作像色情報と、それに対応する昇温目標温度値およびＴｐフラグを登録し、管理している。
【００４２】
まず、ＬＵＴ７００から説明すると、ＬＵＴ７００のカラム７０２には、作像色情報が登録されており、例えばColorおよびmonoとして作像色情報が登録されている。なお、例示のため、作像色情報＝Colorは、フルカラー印刷を指定し、作像色情報＝monoは、ブラックトナーを利用する白黒印刷を指定する。カラム７０４には、各作像色情報に対応して設定するべき定着ローラの定着温度の値が、それぞれ、Ｔｃ、Ｔｍとして登録されていて、作像色情報を参照して、定着温度を変化させることが可能とされている。なお、ＬＵＴ７００は、例示的な目的で説明したものであり、例えば紙種などによって定着温度を登録し、作像色情報とともに紙種情報を利用して定着温度を変更することもできる。
【００４３】
作像色情報および紙種情報を使用して、定着温度を最適化するために利用することができるデータの実施形態をＬＵＴ７１０として示す。ＬＵＴ７１０は、作像色情報を登録するカラム７１２に対応付けて紙種情報毎に異なる定着温度を登録するカラム７１４を対応付けて登録する。また、ＬＵＴ７１０には、Ｔｐフラグテーブル７２０が対応付けされていて、Ｔｐフラグテーブル７２０は、定着温度のマトリックスの要素位置が決定されると、当該要素位置のＴｐフラグを検査し、前回の定着との一致不一致を判断するために利用される。
【００４４】
ＬＵＴ７１０のように、複数の異なる情報を組み合わせた場合の定着温度の値を網羅的に登録しておく実施形態では、NVRAM２１６のデータ構造を変更するだけで図４、図５、図６の処理フローの大きな変更を伴うことなく、より柔軟な定着温度制御を行うことができる。なお、作像制御部１１０と、印刷エンジン１７０とが、共通のNVRAM１１８をシェアできる場合には、ＬＵＴ７００およびＬＵＴ７１０は、NVRAM１１８に後述するＬＵＴ７３０とともに登録することができ、特定の実装形式に応じて適宜設定することができる。
【００４５】
またＬＵＴ７００のカラム７０６およびＴｐフラグテーブル７２０は、Ｔｐフラグを登録するデータ領域であり、直前また現在有効に設定されている定着温度について、値「１」を登録し、現在有効ではない定着温度について、値「０」が設定されるトグルフラグとされている。本実施形態で用語「トグルフラグ」とは、設定するべき昇温目標温度値がＮ個ある場合、ｉ番目の定着温度のフラグの値を、Value_of_Flag(i)として、フラグ設定期間を除き、下記式を満たすように設定するフラグをいう。
【００４６】
【数１】
2012008385.tif 000003
なお、上記式（１）に従い、現在フラグが設定されている行のＴｐが変更され、他の定着温度が設定される場合、古いフラグ設定値は、０リセットされ、新たな昇温目標温度のＴｐフラグが１にセットされる。図７に示す実施形態では、例示的な目的で２種類の目標温度を記載しているが、設定することができる定着温度は、上記式（１）で示されるように特に限定されるものではない。
【００４７】
上記式（１）で設定したＴｐフラグは、現在の定着処理の温度条件を指定するランタイムデータとして使用されるとともにＮＶRAM１１８に登録されて、次回に省エネモードから復帰したときの昇温目標温度の初期値として利用することができる。このため、例えば、カラー機を保有してはいるものの、出力内容がほとんどモノクロ原稿であるユーザは、うっかり作像色指定を忘れても不必要な定着温度にまで加熱する電力を浪費することなく、画像形成装置１００を動作させることができる。このため、本実施形態では、本来的に高い定着温度が必要な作像要求の場合にだけ、高温定着の条件とすることができるので、特にフルカラー画像形成装置の効率的な省エネルギー化を達成することができる。
【００４８】
図７に示すＬＵＴ７３０は、プリンタドライバ２２０が作像色を指定する際に固有のコマンドを利用する場合に、検索された固有のコマンドから、画像解析部２０２が、固有コマンドを作像色情報として通知する場合に該当する定着温度を取得するためのＬＵＴである。カラム７３２内で、high_fix_tempがカラー定着のための定着温度としてカラム７３４にＴｃとして設定され、また、モノクロ印刷のための定着温度が、Ｔｍとしてカラム７３４に登録されている。なお、ＬＵＴ７３０には、Ｔｐフラグを設定するカラムは示されていないものの、ＬＵＴ７００およびＬＵＴ７３０をＬＵＴ７３０の検索で、定着温度を取得し、その後ＬＵＴ７００を参照して、当該定着温度が前回定着温度の値か否かを判断させることもできる。さらに、他の実施形態では、ＬＵＴ７３０自体にもＬＵＴ７００と同様のＴｐカラムを追加して、トグルフラグを設定しても良い。
【００４９】
図８は、本実施形態による定着温度の印刷シーケンス毎の温度プロファイルを示す。横軸には印刷シーケンスにしたがう時間経過であり、縦軸は、定着ローラの温度である。温度ｋ１は、省エネ状態時の定着温度を示し、温度ｋ２は、黒トナーのみを使用したモノクロ印刷時に必要な定着温度を示しており、ｋ３は、K3はフルカラー印刷時に必要な定着温度を示す。フルカラー印刷を行う場合、混色性やグロスなどを向上させるため、トナーを充分溶融させる必要があるので、モノクロ印刷よりも高い定着温度が必要とされる。
【００５０】
図８中、期間ｔ１は、電源ONから印刷可能状態に至るまでの時間を示し、期間t2は、印刷可能状態の時間を示す。従来では、モノクロおよびカラーを問わず、いずれの印刷にでも対応できるｋ３の定着温度まで定着器を加熱していた。画像形成装置１００が印刷を終了し、一定期間が経過すると、画像形成装置１００は、省エネモードに遷移しその結果、必要最低限のCPU能力および電力消費量とされ、この結果定着ローラも通電制御が停止され、期間ｔ３の温度プロファイル８１０で、印刷可能状態から省エネ状態まで遷移する。
【００５１】
一方、本願では、ユーザが作像色を指定すると、画像形成装置１００は、当該作像色のために必要な定着温度を昇温目標温度として設定し、定着ローラの温度制御を行う。図８に示す期間ｔ4は、ユーザがモノクロ印刷を指定した省エネ状態からモノクロ印刷可能状態までの時間を示す。期間ｔ４では、ユーザがモノクロ印刷を指定したので、従来であれば温度プロファイル８２０で昇温するべき定着ローラの温度は、温度プロファイル８３０で示されるように低温化されるとともに、印刷開始も早くなり、この結果、省エネルギー化を達成するばかりではなくアーリーウェイクアップを可能とすることが示される。
【００５２】
さらに本実施形態では、期間ｔ４の定着温度の値がランタイムデータとしてだけではなく、NVRAM１１８に制御データとして登録されるので、期間ｔ７で示すように、画像形成装置１００が一旦省エネモードの遷移し、そこから印刷を実行する場合でも、ユーザが意図的にカラー印刷を指定しない限り、カラー印刷のための温度プロファイル８５０ではなく、温度プロファイル８４０で示されるように再びモノクロ印刷の定着温度に設定される。この結果、本実施形態では、ユーザが都度、作像色情報を設定しなくても、省エネルギーおよびアーリーウェイクアップが可能とされ、画像形成装置１００によるより効率的な画像形成が可能となる。
【００５３】
図９は、本実施形態のプリンタドライバ２２０がPC１６０のデスクトップ画面上に表示するGUI９００の実施形態を示す。図９に示すGUI９００には、各種の印刷設定を行うための入力ボタンや入力フィールド、および印刷イメージを表示するためのグラフィック表示ウィンドウなどが配置されている。さらに、本発明にしたがい、GUI９００には、作像色情報を設定する入力フィールド９１０が、プルダウンリストとして提供されていて、ユーザは、入力フィールド９１０から、作像色情報を設定し、設定後、ボタンアイコン９２０をクリックすることで、指定した作像色情報での印刷を指令することができる。
【００５４】
なお、入力フィールド９１０の情報は、一旦設定すると、次回の呼び出しの際にも前回設定がデフォルト設定としてGUI９００が表示されるので、ユーザが明らかにカラー印刷を希望して入力フィールド９１０の設定を変更する場合を除き、より確実に無駄な定着電力の消費を防止することができる。
【００５５】
本実施形態の上記機能は、C++、Java（登録商標）といったオブジェクト指向プログラミング言語の他、機械語、アセンブラ言語などのレガシープログラミング言語などで記述された装置実行可能なプログラムにより実現でき、プログラムは、ハードディスク装置、CD−ROM、MO、フレキシブルディスク、EEPROM、EPROMなどの装置可読な記録媒体に格納して頒布することができ、また他装置が可能な形式でネットワークを介して伝送することができる。
【００５６】
これまで本実施形態につき説明してきたが、本発明は、上述した実施形態に限定されるものではなく、他の実施形態、追加、変更、削除など、当業者が想到することができる範囲内で変更することができ、いずれの態様においても本発明の作用・効果を奏する限り、本発明の範囲に含まれるものである。
【符号の説明】
【００５７】
１００  画像形成装置
１１０  作像制御部
１１２  ＣＰＵ
１１４  ＲＯＭ
１１６  ＲＡＭ
１１８  ＮＶＲＡＭ
１２０  記憶装置I／F
１３０  ネットワークI／F
１４０  エンジンI／F
１５０  パネルI／F
１６０  ＰＣ
１７０  印刷エンジン
１８０  操作パネル
１９０  ハードディスク装置
１９２  内部バス
２００  ソフトウェアブロック
２０２  画像解析部
２０４  プリンタ制御部
２０６  制御部Ｉ／Ｆ
２０８  エンジン制御部
２１０  定着制御部
２１２  定着温度監視部
２１４  定着温度設定部
２１６  ＮＶＲＡＭ
２２０  プリンタドライバ
２３０  定着ローラ
２３２  温度センサ
７００、７１０、７３０  ＬＵＴ
【先行技術文献】
【特許文献】
【００５８】
【特許文献１】特開２００６−２６０１８５号公報
【特許文献２】特開２００３−１５４６１号公報
【図１】
2012008385.tif 000004
【図２】
2012008385.tif 000005
【図３】
2012008385.tif 000006
【図４】
2012008385.tif 000007
【図５】
2012008385.tif 000008
【図６】
2012008385.tif 000009
【図７】
2012008385.tif 000010
【図８】
2012008385.tif 000011
【図９】
2012008385.tif 000012